(57)【特許請求の範囲】
【請求項１】
電気信号を音響信号に変換する電気音響変換手段を有し、その使用時に耳に当接して支持される一対のヘッドホンユニットと、これらヘッドホンユニット相互間に介在させて各ヘッドホンユニットに対し耳方向への側圧を付勢するバンドとを少なくとも備えてなるヘッドホンにおいて、
各ヘッドホンユニットには、装着使用時に耳の付け根形状に沿わせて当接支持させるべく、その外周部の一側部から略対向する位置関係にある他側部へと、耳との対面方向に向けて突曲させたリング状フックを架け渡したことを特徴とするヘッドホン。
【請求項２】
前記リング状フックは、ヘッドホンユニットに対し両端部を各別に固着させた固定端としてそれぞれ付設したことを特徴とする請求項１記載のヘッドホン。
【請求項３】
前記リング状フックは、少なくともいずれか一方の端部を長さ調整の自在な自由端として付設したことを特徴とする請求項１記載のヘッドホン。
【発明の詳細な説明】
【０００１】
【発明の属する技術分野】
本発明は、ヘッドホンユニットを耳に当接させた際に好ましいフィット感が得られ、かつ、耳に違和感や不快感を与えることなく長時間にわたり使用することができるヘッドホンに関する。
【０００２】
【従来の技術】
ヘッドホンは、通常、電気信号を音響信号に変換するトランスデューサ（電気音響変換手段）を有し、その使用時に耳と対面した位置で支持される一対のヘッドホンユニットと、これらヘッドホンユニット相互間に連結され、耳に押し当てるための側圧を付与しながら頭頂部を介しての支持を自在に湾曲形成されたバネ性のあるヘッドバンドとを少なくとも備えて構成されている。
【０００３】
また、ヘッドホンは、近時、頭髪の乱れを嫌ったり、ファッション性に対する強い欲求などもあって、上掛けタイプのヘッドバンドのみならず、顎の下を回り込ませる下掛けタイプのアンダーバンドや、後頭部側に回り込ませる後掛けタイプのネックバンドを備えたものも多く見受けられるようになってきている（本明細書における「バンド」の語は、上記したヘッドバンドとアンダーバンドとネックバンドとを総称するものとする）。
【０００４】
この場合、上記バンドは、タイプの如何にかかわらずヘッドホンユニツトを確実に耳の位置で支持させる必要があり、このため強い側圧を付与し得るバネ性を備えたものが用いられることになる。しかし、いたずらに側圧を強くしようとすると、耳に対する圧迫感が強くなり過ぎて長時間にわたりヘッドホンをかけていることに違和感や不快感が伴うことになる。
【０００５】
このため、ヘッドホンユニツトに付勢される側圧を必要最小限度に止めても耳からの脱落が防げるように、図７に示すようにバンド２と各ヘッドホンユニツト３との連結部４の近傍に軟質部材を折り返すようにして形成されたやや太めの耳掛け具５を付設してなるヘッドホン１もすでに提案されている。
【０００６】
【発明が解決しようとする課題】
図７に示す従来タイプのヘッドホン１によれば、その装着時に耳掛け具５を耳の付け根の一部に部分的に当接させてヘッドホンユニツト３との間で耳を挟むようにして支持させることができるので、脱落を防ぎつつ長時間にわたりその使用を継続することはできる。
【０００７】
しかしながら、耳掛け具５自体は、軟質部材を用いて形成されているとはいえ、連結部４の側が比較的硬質な部材により形成されていることもあって、個人差のある耳の付け根形状に対する追随性には限度があり、これを装着して使用するすべての人に対し納得のいく好ましいフィット感を与えることには困難があった。
【０００８】
また、耳掛け具５自体は、軟質部材が用いられているとはいえ、メガネをかけている人にとっては、耳の付け根には常にメガネ側の耳当てが位置しており、この耳当てにさらにヘッドホン１の耳掛け具５も重なり合うように当接する結果、耳の付け根部位に常に二種類の異物が混在して違和感や不快感を増幅させるという問題もあった。
【０００９】
本発明は、このような従来技術の課題に鑑みてなされたものであり、その目的は、ヘッドホンユニットを耳に当接させた際のフィット感に優れているのみならず、長時間にわたって使用しても耳に違和感や不快感を与えることのないヘッドホンを提供することにある。
【００１０】
【課題を解決するための手段】
上記目的を達成するため、本発明においては、電気信号を音響信号に変換する電気音響変換手段を有し、その使用時に耳と当接して支持される一対のヘッドホンユニットと、これらヘッドホンユニット相互間に介在させて各ヘッドホンユニットに対し耳方向への側圧を付勢するバンドとを備えてなるヘッドホンにおいて、各ヘッドホンユニットには、装着使用時に耳の付け根側に当接支持させるべく、その外周部の一側部から略対向する位置関係にある他側部へと、耳との対面方向に向けて突曲させたリング状フックを架け渡したことを特徴としている。
【００１１】
この場合、前記リング状フックは、両端部を固着させた固定端として付設したり、少なくともいずれか一方の端部を長さ調整の自在な自由端として付設することができる。
【００１２】
【発明の実施の形態】
図１〜図３は本発明に係るヘッドホンを後掛けタイプ（ネックバンドタイプ）に適用した場合の一例を示すものであり、そのうち、図１は正面図を、図２は平面図を、図３は背面図をそれぞれ示す。
【００１３】
これらの図によれば、ヘッドホン１１の全体は、電気信号を音響信号に変換する電気音響変換手段を有し、その使用時に耳と当接して支持される一対のヘッドホンユニット１２，１２と、これらヘッドホンユニット１２，１２相互間に介在させて各ヘッドホンユニット１２に対し耳方向への側圧を付勢するバンド２０とを備えて構成されている。
【００１４】
この場合、ヘッドホンユニット１２は公知のものであってもよく、そのケーシング１３内には電気信号を音声に変換するトランスデューサを含む図示しないヘッドホンドライバが収納されている。また、該ケーシング１３における耳との対向面の側にはイヤーパッド１９が覆設されている。
【００１５】
さらに、バンド２１は、適宜の断面形状を呈して略Ω字状もしくは略Ｕ字状に湾曲された弾性材からなり、各ヘッドホンユニット１２を耳の部分に押し当てて保持できるように、ある程度の揺動性もしくは可撓性が付与されてなる連結部２２を介してそれぞれのケーシング１３に連結されている。このため、それぞれのヘッドホンユニット１２は、耳に対する当接角の如何にかかわらず好適な側圧を付与しながら確実に密着させることができる。
【００１６】
しかも、各ヘッドホンユニット１２には、装着使用時に耳の付け根形状に沿わせて当接支持させるべく、ケーシング１３の外周部１４の一側部１４ａから略対向する位置関係にある他側部１４ｂへと、耳との対面方向に向けて突曲させたリング状フック２５が架け渡されている。
【００１７】
これを図１〜３に示すようにバンド２０がネックバンドである場合を例に、さらに詳しく説明すれば、リング状フック２５は、ケーシング１３のバンド２１との連結部２２の近傍位置に位置する外周部１４を一側部１４ａとしてその一方の端部２６が、一側部１４ａと略対向する側に位置する外周部１４を他側部１４ｂとしてその他方の端部２７がそれぞれ固定されている。
【００１８】
この場合、ケーシング１３におけるバンド２０との連結部２１を含む近傍部位には、一側支腕部１５を設けて外周部１４の一側部１４ａとし、ケーシング１３の側から他側支腕部１６を突設して外周部１４の他側部１４ｂとすることで、バンド２０の一方の端部２６と他方の端部２７とが各別に固定されて一体化されている。
【００１９】
また、リング状フック２５としては、比較的細径で弾力性もしくは可撓性に富む直径１〜３ｍｍ前後の線状材であれば天然ゴムを含め適宜素材を用いることができるが、例えば線状に引出し成形するなどして形成されているウレタンゴムやシリコーンゴム等の合成ゴムを特に好適に用いることができる。また、リング状フック２５自体の突曲長さは、耳の付け根の周長に略相当する長さが好ましく、例えばイヤーパッド１９における耳との当接面の口径が６０〜７０ｍｍ前後であるとすれば、９０〜１００ｍｍ前後とするのが好適である。
【００２０】
図４は、リング状フック２５の他方の端部２７を長さ調整の自在な自由端として付設した場合の一例についての要部構造を拡大して示すものであり、他方の端部２７が位置固定される他側支腕部１６には、リング状フック２５の他方の端部２７の挿通を自在とした通孔１７が穿設されている。また、他側支腕部１６には、通孔１７内への突端部の進退を自在としたねじ材などの止着材１８が配設されており、該止着材１８を進退操作することにより他方の端部２７を進退させてその長さを調整できるようになっている。なお、リング状フック２５は、図示は省略してあるが、双方の端部２６，２７を共に固定端としたり、一方の端部２６を長さ調整の自在な自由端とし、他方の端部２７を固定端として付設したり、双方の端部２６，２７を共に長さ調整の自在な自由端として付設することもできる。また、リング状フック２５の長さ調整構造は、図示例に限定されるものではなく、リング状フック２５の端部を進退自在に位置固定し得るものであれば所望に応じ適宜採用することができる。
【００２１】
一方、図５は、バンド２０としてヘッドバンドが用いられているヘッドホン１１に本発明を適用した一例を示す正面図であり、各ヘッドホンユニット１２に配設されるそれぞれのリング状フック２５は、ケーシング１３の外周部１４にあって、その装着使用時に前側に位置する一側部１４ａに一側支腕部１５を、後側に位置する他側部に図示しない他側支腕部をそれぞれ設け、これら一側支腕部１５と他側支腕部との間に突曲させて架け渡すことにより配設されている。
【００２２】
また、図６は、バンド２０としてアンダーバンドが用いられているヘッドホン１１に本発明を適用した一例を示す正面図であり、各ヘッドホンユニット１２に配設されるそれぞれのリング状フック２５は、ケーシング１３の外周部１４にあって、その装着使用時に前側に位置する一側部１４ａに一側支腕部１５を、後側に位置する他側部に図示しない他側支腕部をそれぞれ設け、これら一側支腕部１５と他側支腕部との間に突曲させて架け渡すことにより配設されている。
【００２３】
次に本発明の作用につき図１に示す例を参酌して説明すれば、上記構成からなるヘッドホン１１は、後頭部側に位置する首のやや上方に沿わせてバンド２０を配置し、かつ、ヘッドホンユニット１２のイヤーパッド１９の側を耳に当接させることにより、バンド２１から付与される比較的弱い好適な側圧のもとで保持される。
【００２４】
また、ヘッドホンユニット１２には、突曲されたリング状フック２５が付設されているので、該リング状フック２５を耳の付け根形状に沿わせて弾性変形もしくは撓み変形させながら安定的に当接支持させることができる。
【００２５】
しかも、リング状フック２５は、耳の付け根側に対する当接長が比較的長いばかりではなく、弾力性や可撓性に富む比較的細径な線状材により形成されているのでソフトな接触感が得られる結果、長時間にわたりヘッドホン１１を使用しても違和感や不快感を感ずることがなく、したがって、それだけ音に神経を集中することができる。
【００２６】
一方、リング状フック２５が図４に示すように他方の端部２７を長さ調整の自在な自由端として付設されていたり、図示は省略してあるが双方の端部２６，２７を共に長さ調整の自在な自由端として付設されている場合には、耳の付け根側の当接長との関係で定まる最適な長さとなるように例えば他方の端部２７を進退させて止着材１８で位置を固定して装着使用できるので、より優れたフィット感を得ることができる。
【００２７】
また、図５に示すようにバンド２０がヘッドバンドタイプである場合には、リング状フック２５をその装着使用時におけるケーシング１３の前側から後側へと突曲させて架け渡してあるので、耳の付け根との当接部位を耳の付け根に沿うように追随させながら円滑に弾性変形もしくは撓み変形させることにより、耳の付け根形状に沿わせて安定的に当接支持させることができる。
【００２８】
さらに、図６に示すようにバンド２０がアンダーバンドである場合には、リング状フック２５をその装着使用時におけるケーシング１３の前側から後側へと図５における場合と同様に突曲させて架け渡してあるので、耳の付け根との当接部位を耳の付け根に沿うように追随させながら円滑に弾性変形もしくは撓み変形させることにより、耳の付け根形状に沿わせて安定的に当接支持させることができる。
【００２９】
【発明の効果】
以上説明したように本発明によれば、バンド自体がネックバンドとヘッドバンドとアンダーバンドとのいずれのタイプであっても、各ヘッドホンユニットには、突曲されたリング状フックが付設されているので、該リング状フックを耳の付け根形状に沿わせて安定的に当接支持させることができる。
【００３０】
しかも、リング状フックは、耳の付け根側に対する当接長が比較的長いばかりではなく、弾力性や可撓性に富む比較的細径な線状材により形成されているのでソフトな接触感が得られる結果、長時間にわたりヘッドホンを使用しても違和感や不快感を感ずることがなく、したがって、それだけ音に神経を集中することができる。
【００３１】
また、リング状フックが長さ調整自在に付設されている場合には、耳の付け根側の当接長との関係で定まる最適な長さとなるように進退させて位置を固定することにより、より優れたフィット感を得ることができる。
【図面の簡単な説明】
【図１】本発明の一例を示す正面図。
【図２】同平面図。
【図３】同背面図。
【図４】本発明においてリング状フックを長さ調整の自在な自由端とした場合の調節構造の一例を示す要部説明図。
【図５】本発明の他例を示す正面図。
【図６】本発明のさらなる他例を示す正面図。
【図７】ヘッドホンの従来例を示す要部説明図。
【符号の説明】
１１  ヘッドホン
１２  ヘッドホンユニット
１３  ケーシング
１４  外周部
１４ａ  一側部
１４ｂ  他側部
１５  一側支腕部
１６  他側支腕部
１７  通孔
１８  止着材
１９  イヤーパッド
２０  バンド
２１  連結部
２５  リング状フック
２６，２７  端部
【図１】
0003961699.tif 000002
【図２】
0003961699.tif 000003
【図３】
0003961699.tif 000004
【図４】
0003961699.tif 000005
【図５】
0003961699.tif 000006
【図６】
0003961699.tif 000007
【図７】
0003961699.tif 000008